(57)【要約】      （修正有）【課題】一部のエリアに注文が集中した場合の待ち時間を短縮する。【解決手段】注文管理装置３００は、商品の注文者の位置を特定するための位置情報を含む注文を受け付ける注文受付部３３１と、商品を注文者に提供する複数の売り子それぞれの未処理の注文数であるバックオーダー数を特定する特定部３３３と、注文受付部３３１が受け付けた注文に含まれる位置情報により特定される位置を含む第１エリアを担当する第１売り子のバックオーダー数が閾値以上であり、且つ、第１エリアに隣接する第２エリアを担当する第２売り子のバックオーダー数が閾値未満である場合に、第２売り子が使用する携帯端末に対して注文の処理を要求する要求情報を送信する処理要求部３３５と、を有する。【選択図】図３
2019191891.tif 000002
【特許請求の範囲】
【請求項１】
商品の注文者の位置を特定するための位置情報を含む注文情報を受け付ける注文受付部と、
前記商品を前記注文者に提供する複数の売り子それぞれの未処理の注文数であるバックオーダー数を特定する特定部と、
前記注文受付部が受け付けた前記注文情報に含まれる前記位置情報により特定される位置を含む第１エリアを担当する第１売り子のバックオーダー数が閾値以上であり、且つ、前記第１エリアに隣接する第２エリアを担当する第２売り子のバックオーダー数が前記閾値未満である場合に、前記第２売り子が使用する携帯端末に対して注文の処理を要求する要求情報を送信する処理要求部と、
を有する注文管理装置。
【請求項２】
前記特定部が特定した売り子のバックオーダー数と、前記注文受付部が受け付けた注文情報に含まれる前記位置情報により特定される位置と、当該売り子の位置とに基づいて、当該売り子が注文応対を完了するまでの予想時間を推定する推定部をさらに備え、
前記処理要求部は、前記第１売り子及び前記第２売り子のうち、前記推定部が推定した予想時間がより短い売り子の携帯端末へ前記要求情報を送信する、
請求項１に記載の注文管理装置。
【請求項３】
前記処理要求部は、前記推定部が推定した前記第１売り子が注文応対を完了するまでの予想時間と、前記第２売り子が注文応対を完了するまでの予想時間との差が所定時間未満である場合に、前記第１売り子が使用する携帯端末へ前記要求情報を要求する、
請求項２に記載の注文管理装置。
【請求項４】
前記処理要求部は、前記特定部が特定した前記第１売り子の前記バックオーダー数が前記閾値以上であり、且つ、前記第２売り子の前記バックオーダー数が前記閾値以上である場合、前記第１売り子が使用する携帯端末に前記要求情報を送信する、
請求項１から３のいずれか一項に記載の注文管理装置。
【請求項５】
前記処理要求部は、前記特定部が特定した前記第１売り子の前記バックオーダー数が前記閾値以上であり、且つ、前記第２売り子の前記バックオーダー数が前記閾値以上である場合、前記要求情報と、前記第２売り子の前記バックオーダー数が前記閾値以上であることを示す情報とを前記第１売り子が使用する携帯端末に送信する、
請求項４に記載の注文管理装置。
【請求項６】
注文応対を完了したことを示す完了通知を売り子が使用する携帯端末から受信する受信部をさらに備え、
前記処理要求部は、前記第１エリアに含まれる位置に対応する位置情報を含む注文情報に対する前記完了通知を前記第２売り子が使用する携帯端末から前記受信部が受信した数が所定値以上であり、かつ前記第２エリアにおける前記第１エリアから所定の距離内の境界領域に対応する位置情報を含む注文情報を前記注文受付部が受け付けた場合、前記第１売り子が使用する携帯端末へ前記要求情報を送信する、
請求項１から５のいずれか一項に記載の注文管理装置。
【請求項７】
前記受信部は、注文の前記要求情報を承諾することを示す承諾通知を受信し、
前記処理要求部は、前記承諾通知を前記受信部が受信した後であって前記完了通知を受信する前に、受信した前記承諾通知に対応する注文情報に含まれる前記位置情報と同じ位置情報を含む注文情報を前記注文受付部が再度受信した場合に、売り子が使用する携帯端末に対して前記要求情報を送信しない、
請求項６に記載の注文管理装置。
【請求項８】
前記受信部は、注文の前記要求情報を承諾することを示す承諾通知を受信し、
前記処理要求部は、前記承諾通知を前記受信部が受信した後であって前記完了通知を受信する前に、受信した前記承諾通知に対応する注文情報に含まれる前記位置情報と同じ位置情報を含む注文情報を前記注文受付部が再度受け付けた場合に、前記承諾通知を送信した売り子が使用する携帯端末に対し、注文情報を再度受け付けたことを通知する再受付情報を送信する、
請求項６に記載の注文管理装置。
【請求項９】
前記処理要求部は、売り子が使用する携帯端末が送信した前記完了通知に対応する売上高の総和が基準値より高いか否かに基づいて、売り子が担当するエリアを変更する、
請求項６から８のいずれか一項に記載の注文管理装置。
【請求項１０】
前記処理要求部は、複数の未処理の注文情報に含まれる位置情報により特定される位置のうち、売り子の位置から最も遠い位置に最短時間で到達するための情報を当該売り子が使用する携帯端末へ送信する、
請求項１から６のいずれか一項に記載の注文管理装置。
【請求項１１】
前記処理要求部は、移動時間の総和が最も短くなるように、未処理の複数の注文情報に含まれる前記位置情報により特定される位置を巡回するための情報を売り子が使用する携帯端末へ送信する、
請求項１から１０のいずれか一項に記載の注文管理装置。
【請求項１２】
前記要求情報を承諾することを示す承諾通知を受信する受信部をさらに備え、
前記処理要求部は、前記第１売り子が使用する携帯端末に前記要求情報を送信した後、所定時間内に前記承諾通知を前記受信部が受信しない場合に、前記第２売り子が使用する携帯端末へ前記要求情報を送信する、
請求項１から５のいずれか一項に記載の注文管理装置。
【請求項１３】
前記処理要求部は、過去の注文情報に含まれる前記位置情報により特定される位置の履歴に基づいて、売り子が待機する推奨待機位置を決定し、当該推奨待機位置を示す情報を売り子が使用する携帯端末に送信する、
請求項１から１２のいずれか一項に記載の注文管理装置。
【請求項１４】
商品の注文者の位置を特定するための位置情報を含む注文情報を受け付けるステップと、
前記商品を前記注文者に提供する複数の売り子それぞれの未処理の注文数であるバックオーダー数を特定するステップと、
受け付けた前記注文情報に含まれる前記位置情報により特定される位置を含む第１エリアを担当する第１売り子のバックオーダー数が閾値以上であり、且つ、前記第１エリアに隣接する第２エリアを担当する第２売り子のバックオーダー数が前記閾値未満である場合に、前記第２売り子が使用する携帯端末に対して注文の処理を要求する要求情報を送信するステップと、
を有する注文管理方法。
【請求項１５】
コンピュータを、
商品の注文者の位置を特定するための位置情報を含む注文情報を受け付ける注文受付部、
前記商品を前記注文者に提供する複数の売り子それぞれの未処理の注文数であるバックオーダー数を特定する特定部、及び
前記注文受付部が受け付けた前記注文情報に含まれる前記位置情報により特定される位置を含む第１エリアを担当する第１売り子のバックオーダー数が閾値以上であり、且つ、前記第１エリアに隣接する第２エリアを担当する第２売り子のバックオーダー数が前記閾値未満である場合に、前記第２売り子が使用する携帯端末に対して注文の処理を要求する要求情報を送信する処理要求部、
として機能させるプログラム。
【発明の詳細な説明】
【技術分野】
【０００１】
本発明は、注文を受け付ける注文管理装置、注文管理方法及びプログラムに関する。
【背景技術】
【０００２】
野球場等のスタジアムにおいてネットワークを介してユーザの注文を受け付けることが知られている。例えば、特許文献１には、利用客からの注文を受けた場合に、売り子の携帯端末に注文情報を送信するデリバリシステムが記載されている（例えば、特許文献１）。
【先行技術文献】
【特許文献】
【０００３】
【特許文献１】特開２００５−１７４１３６号公報
【発明の概要】
【発明が解決しようとする課題】
【０００４】
特許文献１に記載されたデリバリシステムでは、注文した利用客がいるエリアを担当する売り子が定められている。したがって、特定のエリアで多数の注文が発生すると、当該エリアを担当する売り子が多数の注文を処理する必要があるので、利用客の待ち時間が長くなるという問題があった。
【０００５】
そこで、本発明は、上記の事情に鑑みてなされたものであり、一部のエリアに注文が集中した場合の待ち時間を短縮することができる注文受付装置、注文受付方法及びプログラムを提供することを目的とする。
【課題を解決するための手段】
【０００６】
本発明の第１の態様の注文管理装置は、商品の注文者の位置を特定するための位置情報を含む注文情報を受け付ける注文受付部と、前記商品を前記注文者に提供する複数の売り子それぞれの未処理の注文数であるバックオーダー数を特定する特定部と、前記注文受付部が受け付けた前記注文情報に含まれる前記位置情報により特定される位置を含む第１エリアを担当する第１売り子のバックオーダー数が閾値以上であり、且つ、前記第１エリアに隣接する第２エリアを担当する第２売り子のバックオーダー数が前記閾値未満である場合に、前記第２売り子が使用する携帯端末に対して注文の処理を要求する要求情報を送信する処理要求部と、を有する。
【０００７】
前記注文管理装置は、前記特定部が特定した売り子のバックオーダー数と、前記注文受付部が受け付けた注文情報に含まれる前記位置情報により特定される位置と、当該売り子の位置とに基づいて、当該売り子が注文応対を完了するまでの予想時間を推定する推定部をさらに備え、前記処理要求部は、前記第１売り子及び前記第２売り子のうち、前記推定部が推定した予想時間がより短い売り子の携帯端末へ前記要求情報を送信してもよい。
【０００８】
前記処理要求部は、前記推定部が推定した前記第１売り子が注文応対を完了するまでの予想時間と、前記第２売り子が注文応対を完了するまでの予想時間との差が所定時間未満である場合に、前記第１売り子が使用する携帯端末へ前記要求情報を要求してもよい。
【０００９】
前記処理要求部は、前記特定部が特定した前記第１売り子の前記バックオーダー数が前記閾値以上であり、且つ、前記第２売り子の前記バックオーダー数が前記閾値以上である場合、前記第１売り子が使用する携帯端末に前記要求情報を送信してもよい。
【００１０】
前記処理要求部は、前記特定部が特定した前記第１売り子の前記バックオーダー数が前記閾値以上であり、且つ、前記第２売り子の前記バックオーダー数が前記閾値以上である場合、前記要求情報と、前記第２売り子の前記バックオーダー数が前記閾値以上であることを示す情報とを前記第１売り子が使用する携帯端末に送信してもよい。
【００１１】
前記注文管理装置は、注文応対を完了したことを示す完了通知を売り子が使用する携帯端末から受信する受信部をさらに備え、前記処理要求部は、前記第１エリアに含まれる位置に対応する位置情報を含む注文情報に対する前記完了通知を前記第２売り子が使用する携帯端末から前記受信部が受信した数が所定値以上であり、かつ前記第２エリアにおける前記第１エリアから所定の距離内の境界領域に対応する位置情報を含む注文情報を前記注文受付部が受け付けた場合、前記第１売り子が使用する携帯端末へ前記要求情報を送信してもよい。
【００１２】
前記受信部は、注文の前記要求情報を承諾することを示す承諾通知を受信し、前記処理要求部は、前記承諾通知を前記受信部が受信した後であって前記完了通知を受信する前に、受信した前記承諾通知に対応する注文情報に含まれる前記位置情報と同じ位置情報を含む注文情報を前記注文受付部が再度受信した場合に、売り子が使用する携帯端末に対して前記要求情報を送信しなくてもよい。
【００１３】
前記受信部は、注文の前記要求情報を承諾することを示す承諾通知を受信し、前記処理要求部は、前記承諾通知を前記受信部が受信した後であって前記完了通知を受信する前に、受信した前記承諾通知に対応する注文情報に含まれる前記位置情報と同じ位置情報を含む注文情報を前記注文受付部が再度受け付けた場合に、前記承諾通知を送信した売り子が使用する携帯端末に対し、注文情報を再度受け付けたことを通知する再受付情報を送信してもよい。
【００１４】
前記処理要求部は、売り子が使用する携帯端末が送信した前記完了通知に対応する売上高の総和が基準値より高いか否かに基づいて、売り子が担当するエリアを変更してもよい。前記処理要求部は、複数の未処理の注文情報に含まれる位置情報により特定される位置のうち、売り子の位置から最も遠い位置に最短時間で到達するための情報を当該売り子が使用する携帯端末へ送信してもよい。前記処理要求部は、移動時間の総和が最も短くなるように、未処理の複数の注文情報に含まれる前記位置情報により特定される位置を巡回するための情報を売り子が使用する携帯端末へ送信してもよい。
【００１５】
前記要求情報を承諾することを示す承諾通知を受信する受信部をさらに備え、前記処理要求部は、前記第１売り子が使用する携帯端末に前記要求情報を送信した後、所定時間内に前記承諾通知を前記受信部が受信しない場合に、前記第２売り子が使用する携帯端末へ前記要求情報を送信してもよい。前記処理要求部は、過去の注文情報に含まれる前記位置情報により特定される位置の履歴に基づいて、売り子が待機する推奨待機位置を決定し、当該推奨待機位置を示す情報を売り子が使用する携帯端末に送信してもよい。
【００１６】
本発明の第２の態様の注文管理方法は、商品の注文者の位置を特定するための位置情報を含む注文情報を受け付けるステップと、前記商品を前記注文者に提供する複数の売り子それぞれの未処理の注文数であるバックオーダー数を特定するステップと、受け付けた前記注文情報に含まれる前記位置情報により特定される位置を含む第１エリアを担当する第１売り子のバックオーダー数が閾値以上であり、且つ、前記第１エリアに隣接する第２エリアを担当する第２売り子のバックオーダー数が前記閾値未満である場合に、前記第２売り子が使用する携帯端末に対して注文の処理を要求する要求情報を送信するステップと、を有する。
【００１７】
本発明の第３の態様のプログラムは、コンピュータを、商品の注文者の位置を特定するための位置情報を含む注文情報を受け付ける注文受付部、前記商品を前記注文者に提供する複数の売り子それぞれの未処理の注文数であるバックオーダー数を特定する特定部、及び前記注文受付部が受け付けた前記注文情報に含まれる前記位置情報により特定される位置を含む第１エリアを担当する第１売り子のバックオーダー数が閾値以上であり、且つ、前記第１エリアに隣接する第２エリアを担当する第２売り子のバックオーダー数が前記閾値未満である場合に、前記第２売り子が使用する携帯端末に対して注文の処理を要求する要求情報を送信する処理要求部、として機能させる。
【発明の効果】
【００１８】
本発明によれば、一部のエリアに注文が集中した場合に注文の待ち時間が長くなることを抑制するという効果を奏する。
【図面の簡単な説明】
【００１９】
【図１】注文管理システムにおける処理の流れを示す図である。
【図２】商品が販売される場所の一例であるスタジアム内のエリアについて説明するための図である。
【図３】注文管理装置の構成を示す図である。
【図４】処理要求部による第１売り子の特定方法を説明するための図である。
【図５】携帯端末に表示される注文の処理の順序の例を示す図である。
【図６】売り子が巡回する経路を示す地図画像の例を示す。
【図７】注文管理装置による注文の受付処理を示すフローチャートである。
【発明を実施するための形態】
【００２０】
［注文管理システムＳの概要］
図１及び図２は、本発明の実施形態に係る注文管理システムＳの概要について説明するための図である。図１は、注文管理システムＳにおける処理の流れを示す図である。注文管理システムＳは、商品の注文を受け付けるためのシステムである。図２は、商品が販売される場所の一例であるスタジアム内のエリアについて説明するための図である。注文管理システムＳは、注文送信装置１００、発信機ビーコン２００、注文管理装置３００、及び売り子が使用する携帯端末４００を備える。
【００２１】
注文送信装置１００は、スタジアムの観客が商品を注文するための装置であり、スタジアム内の各座席に固定されている。商品は、例えば、ビール又はソフトドリンク等の飲食物である。注文送信装置１００は、例えば、バッテリにより駆動され、Ｗｉ−Ｆｉ（登録商標）等の無線通信又は有線通信により注文管理装置３００に接続可能である。注文送信装置１００に取り付けられた注文ボタンを注文者が押下した場合に、注文送信装置１００は、注文情報を注文管理装置３００へ送信する（図１中の（１））。注文情報は、商品の注文者の座席の位置を特定するための位置情報を含む。位置情報は、例えば、注文送信装置１００のＭＡＣアドレスである。
【００２２】
発信機ビーコン２００は、売り子が使用する携帯端末４００へ固有の識別情報を送信する。発信機ビーコン２００は、スタジアムの複数の位置に取り付けられている。発信機ビーコン２００の識別情報を受信可能な範囲は比較的狭いため、発信機ビーコン２００は、携帯端末４００が発信機ビーコン２００の近くにいる場合のみ、携帯端末４００に識別情報を到達させることが可能になる。このため、発信機ビーコン２００の識別情報は、売り子が使用する携帯端末４００の位置を特定するための位置情報として用いることができる。例えば、発信機ビーコン２００は、ＢＬＥ（Bluetooth（登録商標）Low Energy）等の無線通信により、識別情報を所定期間ごとに送信する。所定期間は、例えば１秒である。
【００２３】
注文管理装置３００は、注文送信装置１００と接続するサーバである。また、注文管理装置３００は、携帯電話網等のネットワークＮを介して、売り子が使用する携帯端末４００と接続している。注文管理装置３００は、注文送信装置１００から注文情報を受け付ける。注文管理装置３００は、注文情報を注文送信装置１００から受け付けた場合に、受け付けた注文情報に含まれる位置情報に基づいて、注文者の座席の位置を特定する。
【００２４】
図２に示すように、スタジアム内は、複数のエリアに分割されている。図２には、一例としてスタジアムを５つに分割したエリアＲ１、Ｒ２、Ｒ３、Ｒ４及びＲ５をそれぞれ示す。また、各エリアと隣接するエリアとの境界線から所定の距離内の境界領域Ｅ１、Ｅ２、Ｅ３、Ｅ４及びＥ５を破線でそれぞれ示す。
【００２５】
注文管理装置３００は、これらのエリアＲ１、Ｒ２、Ｒ３、Ｒ４及びＲ５のうち、特定した注文者の座席の位置を含むエリア（以下、第１エリアとする）を特定する。本実施の形態の例では、複数の売り子がスタジアム内において商品を提供しており、これらの売り子は、それぞれ担当するエリアが定められている。注文管理装置３００は、特定した第１エリアを担当する売り子（以下、第１売り子とする）を特定する。注文管理装置３００は、特定した第１売り子が使用する携帯端末４００に対し、注文の処理を要求する要求情報を送信する（図１中の（２））。図２の例では、第１エリアがエリアＲ１であるものとする。
【００２６】
携帯端末４００は、商品を提供する売り子が使用する端末である。複数の売り子がそれぞれ携帯端末４００を使用するものとする。携帯端末４００は、発信機ビーコン２００から識別情報を受信する。携帯端末４００は、受信した識別情報を携帯端末４００の位置を特定するための位置情報として注文管理装置３００へ送信する。売り子は、携帯端末４００が要求情報を注文管理装置３００から受信した場合に、要求情報に対応する注文に応対可能であれば、注文を承諾することを示す承諾通知を携帯端末４００により注文管理装置３００へ送信する（図１中の（３））。売り子は、この注文の注文者の座席を訪問し、注文された商品を提供する（図１中の（４））。売り子は、商品の代金を受け取った後に、注文応対を完了したことを示す完了通知を携帯端末４００により注文管理装置３００へ送信する（図１中の（５））。
【００２７】
売り子の未処理の注文数であるバックオーダー数が多い場合、注文者の待ち時間が長くなる。そこで、注文管理装置３００は、注文情報に含まれる座席の位置を含む第１エリアＲ１を担当する第１売り子のバックオーダー数が閾値以上であり、且つ、第１エリアＲ１に隣接するエリア（以下、第２エリアとする）を担当する売り子（以下、第２売り子とする）のバックオーダー数が閾値未満である場合に、第２売り子が使用する携帯端末に対して注文の処理を要求する要求情報を送信する。図２の例では、第２エリアがエリアＲ２であるものとする。
【００２８】
このような構成により、注文管理装置３００は、第１売り子のバックオーダー数が閾値以上である場合に、第２売り子が使用する携帯端末４００へ要求情報を送信するので、注文者の待ち時間を減少させることができる。このため、注文者の待ち時間が長くなることに起因する注文の取り消し等を抑制することができる。
【００２９】
［注文管理装置３００の構成］
図３は、注文管理装置３００の構成を示す図である。注文管理装置３００は、通信部３１、記憶部３２及び制御部３３を備える。通信部３１は、注文送信装置１００と通信するための通信インターフェースである。また、通信部３１は、携帯電話網等のネットワークＮを介して、売り子が使用する携帯端末と通信する通信インターフェースとしても機能する。
【００３０】
記憶部３２は、ＲＯＭ（Read Only Memory）、ＲＡＭ（Random Access Memory）及びハードディスク等の記憶媒体である。記憶部３２は、制御部３３が実行するプログラムを記憶している。制御部３３は、例えばＣＰＵ（Central Processing Unit）である。制御部３３は、記憶部３２に記憶されたプログラムを実行することにより、注文受付部３３１、受信制御部３３２、特定部３３３、推定部３３４及び処理要求部３３５として機能する。
【００３１】
注文受付部３３１は、商品を注文する注文情報を注文送信装置１００から受け付ける。注文情報は、商品の注文者の位置を特定するための位置情報を含む。注文情報は、注文する商品を指定するための情報を含んでもよく、商品の個数を指定するための情報を含んでもよい。注文受付部３３１は、受け付けた注文情報を推定部３３４へ出力する。
【００３２】
受信制御部３３２は、通信部３１を介して、注文の処理を要求する要求情報に承諾することを示す承諾通知を携帯端末４００から受信する。受信制御部３３２が承諾通知を受信した場合、注文者を訪問する売り子が確定したことになる。受信制御部３３２は、受信した承諾通知を処理要求部３３５へ出力する。また、受信制御部３３２は、注文応対を完了したことを示す完了通知を売り子が使用する携帯端末４００から受信する。受信制御部３３２は、受信した完了通知を特定部３３３及び処理要求部３３５へ出力する。
【００３３】
特定部３３３は、商品を注文者に提供する複数の売り子それぞれの未処理の注文数であるバックオーダー数を特定する。特定部３３３は、携帯端末４００に送信した要求情報の数から、この携帯端末４００から受信した完了通知の数を差し引くことによりバックオーダー数を求める。特定部３３３は、承諾通知を受信しなかった等の理由により他の携帯端末４００に要求情報を送信し直した場合には、要求情報を送信し直した数をバックオーダー数から差し引く。また、特定部３３３は、携帯端末４００から受信した承諾通知の数から完了通知の数を差し引くことによりバックオーダー数を求めてもよい。
【００３４】
推定部３３４は、特定部３３３が特定した売り子のバックオーダー数と、注文受付部３３１が受け付けた注文情報に含まれる位置情報により特定される位置と、この売り子の位置とに基づいて、この売り子が注文応対を完了するまでの予想時間を推定する。まず、推定部３３４は、売り子が使用する携帯端末４００が受信した発信機ビーコン２００の識別情報を携帯端末４００から取得する。記憶部３２は、発信機ビーコン２００の識別情報と、スタジアム内の位置とを関連付けて記憶している。推定部３３４は、取得した識別情報に記憶部３２において関連付けられたスタジアム内の位置を売り子の位置として特定する。
【００３５】
推定部３３４は、一件当たりの接客時間の平均値にバックオーダー数を乗じることにより、未処理の全ての注文の予想される接客時間の合計を算出する。推定部３３４は、売り子の未処理の注文の注文者の位置をそれぞれ特定することにより、売り子が未処理の注文の注文者を全て訪問するのにかかる移動時間の合計を算出する。推定部３３４は、算出した接客時間の合計と、移動時間の合計との和を売り子が注文応対を完了するまでの予想時間として推定する。推定部３３４は、推定した予想時間を処理要求部３３５へ出力する。
【００３６】
処理要求部３３５は、注文受付部３３１が受け付けた注文の処理を要求する対象とする売り子を決定し、決定した売り子が使用する携帯端末４００に対して、注文の処理を要求するための要求情報を送信する。本実施形態の例では、処理要求部３３５は、一度に一台の携帯端末４００に要求情報を送信するものとする。
【００３７】
処理要求部３３５は、要求情報を送信する携帯端末４００を決定するために、まず、注文受付部３３１が受け付けた注文情報に含まれる位置情報に基づいて、注文者の座席の位置を特定する。位置情報は、例えば、注文送信装置１００のＭＡＣアドレスである。より詳しくは、処理要求部３３５は、注文受付部３３１が受け付けた注文情報に含まれる注文送信装置１００の位置情報に関連付けて記憶されている座席番号を注文者の座席の位置として特定する。
【００３８】
続いて、処理要求部３３５は、特定した注文者の座席の位置を含む第１エリアを担当する第１売り子を特定する。図４は、処理要求部３３５による第１売り子の特定方法を説明するための図である。図４に示すように、記憶部３２は、売り子名と、売り子が担当するエリアのエリア名と、エリア内の座席の位置と、売り子が使用する携帯端末４００に要求情報等を送信するための通信ＩＤとを関連付けて記憶している。例えば、記憶部３２は、売り子名「Ａ」と、エリア名「Ｒ１」と、座席番号「Ａ０１」から座席番号「Ｅ９９」までの座席の位置と、携帯端末の通信ＩＤ「Ａ１１１１」とを関連付けて記憶している。
【００３９】
例えば、処理要求部３３５は、位置情報により特定された注文者の座席の位置が座席番号「Ｅ９８」である場合、注文者の座席が、売り子「Ａ」が担当する座席番号「Ａ０１」から座席番号「Ｅ９９」までのエリアＲ１に含まれると判定する。処理要求部３３５は、エリアＲ１を第１エリアと特定し、売り子「Ａ」を第１売り子と特定する。
【００４０】
処理要求部３３５は、特定した第１売り子のバックオーダー数が閾値未満であるか否かを判定する。閾値は、例えば、未処理の注文を全て処理するまでに注文の取り消しが生じる可能性が有意に高くなるバックオーダー数を示す値である。処理要求部３３５は、第１売り子のバックオーダー数が閾値未満である場合に、第１売り子が使用する携帯端末に対して注文の処理を要求する要求情報を送信する。図４の例では、処理要求部３３５は、売り子名「Ａ」の第１売り子に記憶部３２において関連付けられた携帯端末４００の通信ＩＤ「Ａ１１１１」を送信先として要求情報を送信する。
【００４１】
処理要求部３３５は、第１売り子のバックオーダー数が閾値以上である場合、第１エリアＲ１に隣接する第２エリアＲ２を担当する第２売り子を特定する。処理要求部３３５は、特定した第２売り子のバックオーダー数が閾値未満であるか否かを判定する。第２売り子のバックオーダー数が閾値未満である場合、第２売り子のバックオーダー数が第１売り子のバックオーダー数に比べて少ないため、注文受付部３３１が受け付けた注文情報を第２売り子が処理した方が注文者の待ち時間が短くなることが予想される。このため、処理要求部３３５は、第２売り子のバックオーダー数が閾値未満である場合に、第２売り子が使用する携帯端末に対して要求情報を送信する。
【００４２】
一方、第２売り子のバックオーダー数が閾値以上である場合には、第２売り子に要求情報を送信したとしても注文者の待ち時間を短縮することができない。このため、処理要求部３３５は、第２売り子のバックオーダー数が閾値以上である場合に、第１売り子が使用する携帯端末４００に対して要求情報を送信する。このとき、処理要求部３３５は、要求情報に加えて、第２売り子のバックオーダー数が閾値以上であることを示す情報を第１売り子が使用する携帯端末４００に送信してもよい。このような構成により、処理要求部３３５は、第２売り子が第１エリアＲ１内の注文者の注文を処理できない状態であることを第１売り子に把握させることができる。
【００４３】
処理要求部３３５は、第１エリアＲ１が複数のエリアと隣接する場合には、例えば、第１エリアＲ１に隣接するエリアのうち、スタジアムを時計周りに第１エリアＲ１から移動した位置のエリアを第２エリアとする。また、処理要求部３３５は、第１エリアＲ１に隣接する複数のエリアのうち、バックオーダー数が閾値未満の売り子が担当するエリアを第２エリアとしてもよい。また、処理要求部３３５は、第１エリアＲ１に隣接する複数のエリアのうち、注文情報に含まれる位置情報により特定される位置と、売り子の位置との間の距離が最も短い売り子が担当するエリアを第２エリアとしてもよい。
【００４４】
また、処理要求部３３５は、第１売り子及び第２売り子のうち、売り子が注文応対を完了するまでの時間として推定部３３４が推定した予想時間がより短い売り子の携帯端末４００へ要求情報を送信してもよい。このようにすることで、処理要求部３３５は、この予想時間がより短くなる方の売り子へ要求情報を送信するので、注文の待ち時間をできるだけ短縮することができる。
【００４５】
第２売り子は、第２エリアＲ２から第１エリアＲ１の注文者を訪問する必要がある。このため、推定部３３４が推定した第２売り子が注文応対を完了するまでの予想時間が、第１売り子が注文応対を完了するまでの予想時間より小さい場合であっても、この差が小さければ、第１エリアＲ１の注文者の待ち時間を短縮する効果は得られない可能性がある。
【００４６】
このため、処理要求部３３５は、推定部３３４が推定した第１売り子が注文応対を完了するまでの予想時間と、第２売り子が注文応対を完了するまでの予想時間との差が所定時間未満である場合には、第１売り子が使用する携帯端末４００へ要求情報を送信する。所定時間は、例えば、第２売り子が第２エリアＲ２内において待機する待機位置から第１エリアＲ１内の最も近い座席の位置まで移動するのに要する時間の統計量である。
【００４７】
第１売り子は、使用する携帯端末４００が要求情報を受信した場合に、注文を処理する余裕がない場合には、承諾通知を注文管理装置３００へ送信しないことがある。処理要求部３３５は、第１売り子が使用する携帯端末４００に要求情報を送信した後、所定時間内に承諾通知を受信制御部３３２が受信しない場合に、第２売り子が使用する携帯端末４００へ要求情報を送信する。所定時間は、携帯端末４００が要求情報を受信したことに第１売り子が気付いて承諾通知を送信するのに要する時間であり、例えば１分である。
【００４８】
［注文を処理する機会の売り子間での調整］
売り子の給料体系は、例えば基本給に歩合給が加算される体系となっている。このような場合、売り子には、多数の商品を提供するほど高い報酬が得られ、自身の売上高をなるべく多くしたいというモチベーションが生じると考えられる。
【００４９】
したがって、第１エリアＲ１内の注文者の注文の処理を要求する要求情報を第２売り子が使用する携帯端末４００へ送信した場合、第１売り子からみれば、自身の報酬を増やす機会を失ったと不満に感じる可能性もある。そこで、処理要求部３３５は、第１エリアＲ１内の注文者の注文を第２売り子が処理した数が所定値に達した場合には、第２エリアＲ２内の注文者の注文を第１売り子に処理させてもよい。
【００５０】
より詳しくは、処理要求部３３５は、第１エリアＲ１内の位置に対応する位置情報を含む注文情報の注文応対を完了したことを示す完了通知を受信制御部３３２が受信した数のうち、第２売り子が使用する携帯端末４００から完了通知を受信した代替処理数を数える。代替処理数は、第１エリアＲ１内の注文者の注文を第２売り子が処理した数である。処理要求部３３５は、代替処理数が所定値以上に達したか否かを判定する。所定値は、例えば、その判定時において第１売り子が使用した携帯端末４００から受信した完了通知の数から、第２売り子が使用した携帯端末４００から受信した完了通知の数を差し引いた数である。
【００５１】
処理要求部３３５は、代替処理数が所定値以上に達した場合に、第２エリアＲ２内の注文者の注文の一部を第１売り子に処理させる。具体的には、処理要求部３３５は、代替処理数が所定値以上に達した場合に、第２エリアＲ２における第１エリアＲ１との境界線から所定の距離内の境界領域に対応する位置情報を含む注文情報を注文受付部３３１が受け付けたことを条件として、第１売り子が使用する携帯端末へ要求情報を送信する。
【００５２】
図２の破線は、各エリアＲ１、Ｒ２、Ｒ３、Ｒ４及びＲ５において隣接するエリアから所定の距離内の境界領域Ｅ５、Ｅ１、Ｅ２、Ｅ３及びＥ４をそれぞれ示している。所定の距離は、例えば、その時点での第１売り子のバックオーダー数に基づいて定まる値であり、第１売り子のバックオーダー数が小さいほど大きな値を示す。
【００５３】
処理要求部３３５は、代替処理数が所定値以上に達し、且つエリアＲ２においてエリアＲ１から所定の距離内の境界領域Ｅ１に対応する位置情報を含む注文情報を注文受付部３３１が受け付けたと判定した場合に、第１売り子が使用する携帯端末４００へ要求情報を送信する。
【００５４】
一方、処理要求部３３５は、エリアＲ２内においてエリアＲ１から所定の距離以上離れた位置に対応する位置情報を含む注文情報を注文受付部３３１が受け付けたと判定した場合に、第１売り子が使用する携帯端末４００へ要求情報を送信せず、第２売り子が使用する携帯端末４００へ要求情報を送信する。このような構成により、処理要求部３３５は、代替処理数が所定値以上に達した場合に、第１売り子が報酬を増やす機会を与えることができる。
【００５５】
また、エリアＲ１及びＲ２は互いに隣接する関係にあるので、エリアＲ１を担当する売り子がエリアＲ２内の注文者の注文を代わりに処理することもあれば、エリアＲ２を担当する売り子がエリアＲ１内の注文者の注文を代わりに処理することも考えられる。処理要求部３３５は、エリアＲ１を担当する売り子とエリアＲ２を担当する売り子とが互いに担当するエリアの注文を代替している場合、例えば、エリアＲ２を担当する第２売り子がエリアＲ１内の注文者の注文を代わりに処理した数から、エリアＲ１を担当する第１売り子がエリアＲ２内の注文者の注文を代わりに処理した数を差し引いた数を代替処理数として数えてもよい。
【００５６】
また、処理要求部３３５は、（１）代替処理数が所定値以上に達し、（２）エリアＲ２においてエリアＲ１から所定の距離内の境界領域Ｅ１に対応する位置情報を含む注文情報を注文受付部３３１が受け付け、且つ（３）第１売り子のバックオーダー数が一定値以下になったか否かを判定してもよい。一定値は、第１エリア内の注文の処理を要求する要求情報を第２売り子へ送信するか否かを判定するためのバックオーダー数の閾値と同じ値であってもよく、この閾値より小さい値であってもよい。
【００５７】
処理要求部３３５は、（１）〜（３）の条件をいずれも満たすと判定した場合に、第１売り子が使用する携帯端末４００へ要求情報を送信してもよい。一方、処理要求部３３５は、（１）〜（３）の条件のいずれかを満たさないと判定した場合に、第１売り子が使用する携帯端末４００へ要求情報を送信せず、第２売り子が使用する携帯端末４００へ要求情報を送信する。このような構成により、第１売り子は、バックオーダー数が少なくて比較的余裕があるときに、第２エリア内の注文者の注文を処理することができる。
【００５８】
注文者は、注文送信装置１００の注文ボタンを操作した後、この注文を処理することを承諾した売り子が注文者の座席を訪問するまで待ちきれずに注文ボタンを再度押下することがある。このとき、複数の売り子が同じ注文者を訪問するのは効率が悪い。そこで、処理要求部３３５は、承諾通知を受信制御部３３２が受信した後であって完了通知を受信する前に、受信した承諾通知に対応する注文情報に含まれる位置情報と同じ位置情報を含む注文情報を注文受付部３３１が再度受信した場合には、同じ注文者が売り子の訪問を待ちきれずに注文ボタンを再度押下したと判定する。この場合には、処理要求部３３５は、売り子が使用する携帯端末４００に対して要求情報を送信しない。このような構成により、注文者が売り子が訪問する前に注文ボタンを再度押下した場合に、複数の売り子が同じ注文者を訪問することを抑制することができる。
【００５９】
また、処理要求部３３５は、承諾通知を受信制御部３３２が受信した後であって完了通知を受信する前に、受信した承諾通知に対応する注文情報に含まれる位置情報と同じ位置情報を含む注文情報を注文受付部３３１が再度受け付けた場合に、承諾通知を送信した売り子が使用する携帯端末４００に対し、注文情報を再度受け付けたことを通知する再受付情報を送信してもよい。売り子が使用する携帯端末４００では、再受付情報を受信した場合に、注文情報を再度受け付けたことをディスプレイに表示する。このような構成により、処理要求部３３５は、売り子に対し、同じ注文者から注文を再度受け付けたことを通知することができる。また、売り子が使用する携帯端末４００は、売り子が同じ注文者を二度訪問することを抑制することができる。なお、売り子が使用する携帯端末４００は、再受付情報を受信した場合に、注文情報を再度受け付けたことをディスプレイに表示しなくてもよい。
【００６０】
［担当するエリアの変更］
処理要求部３３５は、売り子が使用する携帯端末４００が送信した完了通知に対応する売上高の総和が基準値より高いか否かに基づいて、売り子が担当するエリアを変更してもよい。売り子が提供する商品の売上高が他の売り子に比べて高い場合、売上高が高い売り子の担当するエリアでは、注文の待ち時間が長くなっている可能性がある。そこで、処理要求部３３５は、売上高の総和が基準値より高い売り子の担当するエリアをより狭くする。基準値は、注文の取り消しが生じる可能性が有意に高くなる程度に待ち時間が生じていることが想定される売上高を示す値である。
【００６１】
同様の理由により、処理要求部３３５は、売上高の総和が基準値より低い売り子の担当するエリアをより広くする。このような構成により、一部のエリアにおいて注文の待ち時間が長くなっている場合に、このエリアを狭くすることによって待ち時間を短縮化させることができる。
【００６２】
売り子が注文を処理する能力には個人差がある。売り子の能力が高いことに由来してこの売り子の売上が高くなっている場合には、売り子のモチベーションを高めるために、売上の高い売り子の担当するエリアをより広げてもよい。例えば、処理要求部３３５は、売上高の総和が基準値より高い売り子の担当するエリアをより広くする。一方、処理要求部３３５は、売上高の総和が基準値より低い売り子の担当するエリアをより狭くする。基準値は、売上高の目標として売り子の管理者が設定する。処理要求部３３５は、注文を処理する能力が高い売り子により広いエリアを任せることにより、売り子間の個人差によって注文の待ち時間にばらつきが生じることを抑制することができる。
【００６３】
売り子が複数の未処理の注文を処理していく場合、売り子から遠い位置の注文者への訪問が後回しになりやすい。処理要求部３３５は、未処理の複数の注文に含まれる位置情報により注文者の位置をそれぞれ特定する。処理要求部３３５は、複数の未処理の注文に含まれる位置情報により特定される位置のうち、売り子の位置から最も遠い位置に最短時間で到達するための情報を当該売り子が使用する携帯端末４００へ送信する。例えば、処理要求部３３５は、売り子の位置から最も遠い注文者の位置に最短時間で到達するための注文の処理の順序を売り子が使用する携帯端末４００に表示する。
【００６４】
図５は、携帯端末４００に表示される注文の処理の順序の例を示す図である。図５には、注文の処理の順序を示す番号と、座席番号とを示す。例えば、「１：Ｚ１３」は、最初に処理する注文の注文者の座席の位置が座席番号「Ｚ１３」であることを示す。座席番号「Ｚ１３」は、複数の未処理の注文の注文者のうち、売り子の位置から最も遠い注文者の座席の位置である。「２：Ｚ５４」は、２番目に処理する注文の注文者の座席の位置が座席番号「Ｚ５４」であることを示す。
【００６５】
このような構成により、処理要求部３３５は、売り子の位置から最も遠い注文者の位置に最初に到達するように注文の処理の順序を携帯端末４００に表示するので、この注文者の注文の処理を後回しにすることを抑制することができる。また、処理要求部３３５は、売り子の位置から最も遠い注文者の位置に最短時間で到達するための経路を地図画像に重畳させて、売り子が使用する携帯端末４００に表示させてもよい。
【００６６】
また、処理要求部３３５は、売り子の移動時間の総和が最も短くなるように、未処理の複数の注文に含まれる位置情報により特定される位置を巡回するための情報を売り子が使用する携帯端末４００へ送信してもよい。図６は、売り子が巡回する経路を示す地図画像の例を示す。
【００６７】
図６には、スタジアム内の座席の配置の一部を示し、×は、未処理の注文の注文者Ａ、Ｂ、Ｃ、Ｄ及びＥの座席の位置を示す。Ｐは、売り子の現在位置を示す。処理要求部３３５は、移動時間の総和が最も短くなるように注文者の位置を巡回する経路を特定する。図６の例では、売り子の移動時間の総和が最も短くなる経路として、注文者Ａ、注文者Ｂ、注文者Ｃ、注文者Ｄ、注文者Ｅの順に巡回する経路を特定する。処理要求部３３５は、特定した経路を地図画像に重畳させた画像を生成し、売り子が使用する携帯端末４００に生成した画像を表示させる。このような構成により、処理要求部３３５は、移動時間の総和が最も短くなる経路を売り子が使用する携帯端末４００に表示するので、売り子は、表示された移動経路に沿って、効率的に注文を処理することができる。
【００６８】
［待機位置の決定］
商品の注文が一時的に途切れた場合、売り子は担当するエリア内で待機する。処理要求部３３５は、過去の注文情報に含まれる位置情報により特定される位置の履歴に基づいて、売り子が待機する推奨待機位置を決定する。例えば、処理要求部３３５は、所定範囲内における注文者の注文による当日のその時点における売上高の総和の履歴が最も高い位置の周辺を推奨待機位置として決定する。所定範囲は、例えば、半径５メートル以内の円である。
【００６９】
処理要求部３３５は、決定した推奨待機位置を示す情報を売り子が使用する携帯端末４００に送信する。例えば、処理要求部３３５は、売り子が担当するエリアの座席の配置を示す地図画像において推奨待機位置を色分け表示して携帯端末４００に表示させる。このような構成により、処理要求部３３５は、過去に注文者が比較的多かった座席の位置周辺を推奨待機位置として表示するので、売り子が待機中に注文管理装置３００から要求情報を受信した場合の移動時間を短くすることができる。
【００７０】
［補充待ち数の表示］
売り子は、ビール等の商品の在庫がなくなった場合に、商品を補充室で補充する。処理要求部３３５は、補充室からの距離が閾値以内である売り子の数を補充待ち数として特定する。処理要求部３３５は、特定した補充待ち数を示す情報を売り子が使用する携帯端末４００に送信する。閾値は、補充室において商品の補充の順番待ちをしている売り子と、他の作業をしている売り子とを区別するための値であり、例えば、補充室に取り付けられた発信機ビーコン２００から送信された位置情報を受信可能な距離である。このような構成により、売り子は、補充待ち数を把握できるので、補充待ち数が少ないタイミングで商品の補充を行うことができる。
【００７１】
［商品の残量の表示］
商品がビール又はソフトドリンク等の飲料である場合には、処理要求部３３５は、売り子の商品のタンク内の残量を特定する。例えば、処理要求部３３５は、通信部３１を介して、売り子の商品のタンク内に取り付けられた水位センサ（不図示）の検出結果を受信し、受信した検出結果に基づいて、タンク内の商品の残量を特定する。
【００７２】
処理要求部３３５は、特定した売り子のタンク内の残量に基づいて、売り子のバックオーダー数の上限である最大オーダー数を定めてもよい。例えば、処理要求部３３５は、特定したタンク内の商品の残量に相当する数を最大オーダー数として定める。商品を５００ミリリットルごとに注文者に提供していると仮定する。処理要求部３３５は、タンク内の商品の残量が３リットルであると特定した場合、最大オーダー数を６回と定める。処理要求部３３５は、定めた最大オーダー数を超える要求情報を第１売り子が使用する携帯端末４００へ送信しない。このとき、処理要求部３３５は、要求情報を第２売り子が使用する携帯端末４００へ送信する。
【００７３】
売り子のバックオーダー数が手持ちの商品の在庫数を超える場合、売り子は、注文を処理する途中で商品を補充する必要があるため、注文の待ち時間が長くなってしまう。処理要求部３３５は、最大オーダー数を超える要求情報を携帯端末４００へ送信しないので、売り子のバックオーダー数が手持ちの商品の在庫数を超えることを抑制することができる。
【００７４】
［注文管理装置３００の処理手順］
図７は、注文管理装置３００による注文の受付処理を示すフローチャートである。例えば、注文送信装置１００が注文管理装置３００との無線通信の接続状態を確立したときにこの処理手順は開始する。
【００７５】
注文受付部３３１は、商品を注文する注文情報を注文送信装置１００から受け付ける（Ｓ１）。処理要求部３３５は、注文受付部３３１が受け付けた注文情報から位置情報を取得し、取得した位置情報により特定される位置を含む第１エリアＲ１を特定する（Ｓ２）。処理要求部３３５は、特定した第１エリアＲ１を担当する第１売り子のバックオーダー（ＢＯ）数が閾値以上であるか否かを判定する（Ｓ３）。
【００７６】
処理要求部３３５は、第１売り子のバックオーダー数が閾値以上である場合（Ｓ３のＹＥＳ）、第２売り子のバックオーダー数が閾値未満であるか否かを判定する（Ｓ４）。処理要求部３３５は、第２売り子のバックオーダー数が閾値未満である場合（Ｓ４のＹＥＳ）、第２売り子が使用する携帯端末４００に対して商品の注文の処理を要求する要求情報を送信し（Ｓ５）、処理を終了する。
【００７７】
一方、処理要求部３３５は、Ｓ３の判定において、第１売り子のバックオーダー数が閾値未満である場合（Ｓ３のＮＯ）、第１売り子使用する携帯端末４００に対して商品の注文の処理を要求する要求情報を送信し（Ｓ６）、処理を終了する。処理要求部３３５は、Ｓ４の判定において、第２売り子のバックオーダー数が閾値以上である場合（Ｓ４のＮＯ）、第１売り子使用する携帯端末４００に対して商品の注文の処理を要求する要求情報を送信し（Ｓ６）、処理を終了する。
【００７８】
本実施形態によれば、処理要求部３３５は、第１売り子のバックオーダー数が閾値以上であり、且つ、第２売り子のバックオーダー数が閾値未満である場合に、バックオーダーのより少ない第２売り子に要求情報を送信する。このため、処理要求部３３５は、注文者の待ち時間が長くなることを抑制することができる。また、処理要求部３３５は、注文の待ち時間が長いことに起因して注文者が注文を取り消す等の機会損失が生じることを抑制することができる。
【００７９】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００８０】
３１  通信部
３２  記憶部
３３  制御部
１００  注文送信装置
２００  発信機ビーコン
３００  注文管理装置
３３１  注文受付部
３３２  受信制御部
３３３  特定部
３３４  推定部
３３５  処理要求部
４００  携帯端末
【図１】
2019191891.tif 000003
【図２】
2019191891.tif 000004
【図３】
2019191891.tif 000005
【図４】
2019191891.tif 000006
【図５】
2019191891.tif 000007
【図６】
2019191891.tif 000008
【図７】
2019191891.tif 000009